(57)【要約】【課題】プラズマテレビジョン等のテレビジョン受像機において、包装状態で前面方向や後面方向に落下又は転倒された際、落下又は転倒時の衝撃がテレビジョン受像機自体に大きく伝わり、テレビジョン受像機自体が破損するという課題があった。【解決手段】包装状態のテレビジョン受像機を前面方向に落下又は転倒させ、衝撃が加わった際、緩衝材１０３に有する受けリブ２０１及び受けリブ２０２は平行方向に緩衝されると同時に、垂直方向に変形する力が加わるが、その変形は補強リブ２０３によって防止されるため、受けリブ２０１及び受けリブ２０２は分離することはなく、且つ平行方向の衝撃は緩衝することが可能であり、テレビジョン受像機自体の破損を防止することが可能である。【選択図】図２
2007276871.tif 000002
【特許請求の範囲】
【請求項１】
第１の突起部と、
第２の突起部と、
前記第１の突起部及び前記第２の突起部を連結する補強リブとを備え、
前記第１の突起部、前記第２の突起部及び前記補強リブは弾性をもつ材料からなり、一体に成形されていることを特徴とする緩衝材。
【請求項２】
前記第１の突起部において前記補強リブが連結する部分の断面と、
前記第２の突起部において前記補強リブが連結する部分の断面と、
前記補強リブにおいて前記第１の突起部に連結する部分の断面と、
前記補強リブにおいて前記第２の突起部に連結する部分の断面とがそれぞれ同一形状であることを特徴とする請求項１に記載の緩衝材。
【請求項３】
前記第１の突起部または前記第２の突起部の表面と補助リブの表面とが垂直に交わることを特徴とする請求項１または２に記載の緩衝材。
【発明の詳細な説明】
【技術分野】
【０００１】
本発明はプラズマテレビジョン等のテレビジョン受像機に利用される緩衝材に関するものである。
【背景技術】
【０００２】
プラズマテレビジョン等のテレビジョン受像機が梱包された梱包箱が前面方向や後面方向に落下又は転倒した場合、落下又は転倒時の衝撃がテレビジョン受像機自体に大きく伝わることによりテレビジョン受像機自体が破損することを防止する為、従来技術では、天面部の緩衝部材と底面部の緩衝部材において、天面部を柔らかく設定し、底面部を硬く設定して、前面方向や後面方向に転倒した時のテレビジョン受像機に加わる衝撃を低減する緩衝材が提案されている（例えば、特許文献１に記載）。
【０００３】
図３は従来の緩衝材の構成を示す図である。図３において、パネル及びこのパネルの背面側に配置され、かつパネルに信号を印加して表示を行う回路ブロックからなる表示ユニットを筐体内に収容して構成したプラズマディスプレイ２２と、このプラズマディスプレイ２２を立てた状態で保持して収納する梱包箱２１と、この梱包箱２１の天面部と底面部とに配置され、かつ前記プラズマディスプレイ２２を保持する緩衝部材２３、２４とを有し、かつ天面部の緩衝部材２３と底面部の緩衝部材２４とにおいて、天面部を柔らかく設定し、底面部を硬く設定したものである。このようにすれば、前面方向や後面方向に転倒した時のプラズマディスプレイに加わる衝撃を低減させることができる。
【特許文献１】特開２００４−６７１５８号公報
【発明の開示】
【発明が解決しようとする課題】
【０００４】
しかしながら従来の天面部緩衝部材において、天面部緩衝部材を太くすると、天面部緩衝部材自体の強度は上がるものの、緩衝部部材自体の弾性が無くなり、外部から加えられた衝撃がテレビジョン受像機１０１自体に伝わりやすくなるので、テレビジョン受像機１０１が破損しやすくなる。一方、天面部緩衝部材を細くすると、天面部緩衝部材がより弾性を備えるようになり、外部から加えられた衝撃がテレビジョン受像機１０１自体に伝わりにくくなるが、天面部緩衝部材自体の強度が弱くなり、天面部緩衝部材が破損してしまうという課題を有していた。
【０００５】
本発明は前記従来の課題を解決するもので、緩衝部材自体の折れ・分離を防止しつつ、且つ、弾性を備えた緩衝材を提供することを目的とする。
【課題を解決するための手段】
【０００６】
第１の発明にかかる緩衝材は、第１の突起部と、第２の突起部と、第１の突起部及び第２の突起部を連結する補強リブとを備え、第１の突起部、第２の突起部及び補強リブは弾性をもつ材料からなり、一体に成形されていることを特徴とする。
【０００７】
本構成による緩衝材によると、緩衝作用を維持しつつ、緩衝材自体の折れ・分離を防止することが可能となる。
【０００８】
第２の発明にかかる緩衝材は、第１の発明の構成に加えて、第１の突起部において前記補強リブが連結する部分の断面と、第２の突起部において前記補強リブが連結する部分の断面と、補強リブにおいて前記第１の突起部に連結する部分の断面と、補強リブにおいて前記第２の突起部に連結する部分の断面とがそれぞれ同一形状であることを特徴とする緩衝材である。
【０００９】
本構成による緩衝材によると、緩衝効果を維持しつつ、破損しにくくすることが可能となる。
【００１０】
第３の発明にかかる緩衝材は、第１の発明または第２の発明の構成に加えて、第１の突起部または第２の突起部の表面と補助リブの表面とが垂直に交わることを特徴とする緩衝材である。
【００１１】
本構成による緩衝材によると、第１の突起部及び第２の突起部が補助リブにより固定される部分が減少し、その結果、第１の突起部及び第２の突起部の弾性が強くなる。
【発明の効果】
【００１２】
本発明の緩衝材によれば、包装状態のテレビジョン受像機を落下又は転倒させた際、落下又は転倒時の衝撃を緩和し、テレビジョン受像機自体の破損を防ぐことが可能であり、且つ緩衝材自体の分離を防止することが可能である。
【発明を実施するための最良の形態】
【００１３】
以下、本発明を実施するための最良の形態について、図面を参照しながら説明する。
【００１４】
（実施の形態１）
図１は本発明の実施の形態１における緩衝材を用いて、テレビジョン受像機を包装した状態の三面図であり、（ａ）正面図、（ｂ）側面図及び（ｃ）平面図である。また、図２は実施の形態１における緩衝材の三面図であり、（ａ）平面図、（ｂ）側面図及び（ｃ）正面図である。
【００１５】
図１において、テレビジョン受像機１０１は緩衝材１０２〜１０７により保護され、包装箱１０８に梱包されている。
【００１６】
図２において、緩衝材１０３は断面が四角形であって突起状の受けリブ２０１及び受けリブ２０２を有し、受けリブ２０１及び受けリブ２０２が緩衝材中心部２０４に連結されている。また、受けリブ２０１と受けリブ２０２とを連結し断面が四角形である補強リブ２０３を有する。また、緩衝部材２０１は発泡ウレタンなど、緩衝効果のある材料で構成される。
【００１７】
次に、受けリブ２０１、受けリブ２０２及び補強リブ２０３の詳細な寸法について記載する。受けリブ２０１は一辺の長さがＡの正方形となる四角柱の形状である。受けリブ２０２は一辺の長さがＡの正方形となる四角柱の形状である。補強リブ２０３は一辺の長さがＤの正方形となる四角柱の形状である。受けリブ２０１及び受けリブ２０２の先端から補強リブ２０３との連結部分までの長さはＢであり、受けリブ２０１及び受けリブ２０２の緩衝材中心部２０４との連結部分から補強リブ２０３との連結部分までの長さはＣである。
【００１８】
次に、緩衝材１０３に対して、負荷がかかったときの動作について説明する。転倒時などにより、平行方向から負荷がかかった際に、その負荷は受けリブ２０１及び受けリブ２０２に対して平行方向の負荷と受けリブ２０１及び受けリブ２０２に対して垂直方向の負荷に分けることができる。平行方向への負荷がテレビジョン受像機１０１に対する負荷となり、垂直方向への力が受けリブ２０１及び受けリブ２０２に対して、折れ・分離を発生させる負荷となる。
【００１９】
まず、平行方向の負荷に係る動作について述べる。平行方向に負荷がかかると受けリブ２０１及び受けリブ２０２を通じて、緩衝材１０３の緩衝材中心部２０４に負荷がかかり、その負荷がテレビジョン受像機１０１へと到達する。この際、受けリブ２０１及び受けリブ２０２は突起状の四角柱の構成となっており、平行方向への弾性が強く、この弾性により負荷が軽減される為、テレビジョン受像機１０１への負荷が軽減される。
【００２０】
次に、垂直方向の負荷がかかったときの動作について述べる。垂直方向に負荷がかかると、受けリブ２０１及び受けリブ２０２がその弾性により撓む。この際、所定値以上の負荷がかかると、受けリブ２０１及び受けリブ２０２は垂直方向に変形し、破損してしまう。しかし、本実施の形態では、補強リブ２０３を備えているので、受けリブ２０１及び受けリブ２０２の垂直方向への変形が抑えられ、負荷がかかっても破損しにくくなる。
【００２１】
かかる構成によると、包装状態のテレビジョン受像機１０１を落下又は転倒させ、受けリブ２０１及び受けリブ２０２に対して衝撃が加わった際、緩衝材１０３に有する受けリブ２０１及び受けリブ２０２は、受けリブ２０１及び受けリブ２０２に対して平行方向に緩衝されると同時に、受けリブ２０１及び受けリブ２０２に対して垂直方向に変形する力が加わるが、その変形は補強リブ２０３によって防止されるため、受けリブ２０１及び受けリブ２０２は破損することはなく、且つ、受けリブ２０１及び受けリブ２０２に対して平行方向の衝撃は矢印２０５方向に緩衝することが可能である。
【００２２】
なお、Ａ＞Ｄとした場合、受けリブ２０１及び受けリブ２０２より補強リブ２０３の断面強度が弱いため、受けリブ２０１及び受けリブ２０２が垂直方向に変形すると、補強リブ２０３が折れる。また、Ａ＜Ｄとした場合、受けリブ２０１及び受けリブ２０２より補強リブ２０３の断面強度が強いため、受けリブ２０１及び受けリブ２０２が受けリブ２０１及び受けリブ２０２に対して平行方向への緩衝効果が低減される。したがってＡ＝Ｄとすることが好ましい。
【００２３】
また、Ｂ＞Ｄとした場合、受けリブ２０１及び受けリブ２０２が受けリブ２０１及び受けリブ２０２に対して垂直方向に変形すると、受けリブ２０１及び受けリブ２０２が補助リブ２０３と連結する部分で折れてしまう。また、Ｂ＜Ｄとした場合、受けリブ２０１及び受けリブ２０２が補助リブ２０３と連結する部分寸法Ｂ部の断面強度が強くなるため、受けリブ２０１及び受けリブ２０２が矢印２０５方向への緩衝効果が低減される。したがってＢ＝Ｄとすることが好ましい。
【００２４】
また、ＣはＡ・Ｂ・Ｄの２倍以上の長さとすることにより、受けリブ２０１及び受けリブ２０２が、受けリブ２０１及び受けリブ２０２に対して平行方向への緩衝効果が高くなる。
【００２５】
また、受けリブ２０１及び受けリブ２０２と補助リブ２０３の連結部分について、図２に示すように、補助リブ２０３の末端を広げずに、受けリブ２０１及び受けリブ２０２の表面と補助リブ２０３の表面とが垂直となるようにしても良い。この場合、受けリブ２０１及び受けリブ２０２が補助リブ２０３により固定される部分が減少し、その結果、受けリブ２０１及び受けリブ２０２の弾性が強くなる。
【００２６】
また、本実施の形態では受けリブを２本としたが、３本以上の数としてもよい。
【００２７】
また、本実施の形態では受けリブを繋ぐ補強リブを１本としたが、受けリブ先端寸法の５倍以上の根元寸法となる場合では、２本以上の数としてもよい。
【００２８】
なお、上記実施の形態においては、受けリブ２０１が第１の突起部に相当し、受けリブ２０２が第２の突起部に相当する。
【産業上の利用可能性】
【００２９】
本発明にかかる緩衝材は、機器への衝撃の伝達を小さくすることが可能であり、機器自体の破損を防止することが可能であるため、プラズマテレビジョン等のテレビジョン受像機の緩衝材として有用である。
【図面の簡単な説明】
【００３０】
【図１】本発明の実施の形態１における緩衝材を用いてテレビジョン受像機を包装した状態を示す三面図
【図２】本発明の実施の形態１における緩衝材の三面図
【図３】従来の形態によるプラズマディスプレイの包装図
【符号の説明】
【００３１】
１０１    テレビジョン受像機
１０２〜１０７    緩衝材
１０８    包装箱
２０１〜２０２    受けリブ
２０３    補強リブ
２０４    緩衝材中心部
２０５    緩衝方向
【図１】
2007276871.tif 000003
【図２】
2007276871.tif 000004
【図３】
2007276871.tif 000005